(57)【要約】  自己排水トランスミッタマウントヘッド（１００）は、ヘッド本体（１０１）内にトランスミッタプロセス結合ポート（１１４）を有するヘッド本体（１０１）と、ヘッド本体内のインパルスポート（２１２）と、インパルスポート（２１２）に結合されたインパルス通路（２０８）とを含む。インパルス排水通路（１０６）は、圧力伝達ポートとインパルス通路との間に結合される。インパルス排水通路（１０６）は、インパルス通路に対してある角度で配置され、かつ、インパルス排水通路がヘッド設置角度の範囲にわたって前記トランスミッタプロセス結合ポートから排水するようにインパルス排水通路を配置するヘッド設置角度に対応して配置されている。
2020521988.tif 000002
【特許請求の範囲】
【請求項１】
ヘッド本体と、
前記ヘッド本体内のトランスミッタプロセス結合ポートと、
前記ヘッド本体のインパルスポートと、
前記インパルスポートに結合されたインパルス通路と、
圧力伝達ポートと前記インパルス通路との間に結合されたインパルス排水通路であって、前記インパルス排水通路は、前記インパルス通路に対してある角度で配置され、かつ、前記インパルス排水通路がヘッド設置角度の範囲にわたって前記トランスミッタプロセス結合ポートから排水するように前記インパルス排水通路を配置するヘッド設置角度に対応して配置された前記インパルス排水通路と、
を含む、自己排水式トランスミッタマウントヘッド。
【請求項２】
前記インパルス通路に結合されたイコライザ通路に結合された、本体内のイコライザシートポートと、
イコライザポートに結合されたイコライザ弁と、
を更に含む、請求項１に記載の自己排水ヘッド。
【請求項３】
前記インパルス通路に結合された本体内の遮断弁ポートと、
遮断弁ポートに結合された遮断弁と、
を更に含む、請求項１に記載の自己排水ヘッド。
【請求項４】
前記遮断弁は、自己排水弁である、請求項３に記載の自己排水ヘッド。
【請求項５】
前記ヘッドは、前記遮断弁が自己排水のために設置されるボンネットシートをさらに備え、
前記ボンネットシートは、フルポート上昇プラグボンネットを備える、
請求項４に記載の自己排水ヘッド。
【請求項６】
前記トランスミッタプロセス結合ポートは、第１の差動ポート及び第２の差動ポートを備え、
前記インパルス通路は、一対のインパルス通路を備え、
前記インパルス排水通路は、第１のインパルス排水通路及び第２のインパルス排水通路を備え、
前記インパルスポートは、第１のインパルスポート及び第２のインパルスポートを備え、
前記第１の差動ポートは、第１の前記インパルス通路及び前記第１のインパルス排水通路によって前記第１のインパルスポートに結合され、
前記第２の差動ポートは、前記第２のインパルス排水通路及び第２の前記インパルス通路によって前記第２のインパルスポートに結合され、
前記ヘッドは、差圧測定のために構成される、
請求項１に記載の自己排水ヘッド。
【請求項７】
前記ヘッド本体の排水／通気ポートと、
前記排水／通気ポートを密封するように構成され、取り外し可能な排水／通気プラグと、
前記排水／通気ポートと前記インパルス通路との間に結合された排水／通気通路と、
を更に含み、
前記排水／通気通路は、前記インパルス通路と整列される、
請求項１に記載の自己排水ヘッド。
【請求項８】
前記トランスミッタプロセス結合ポートと前記排水／通気通路との間に結合された排水／通気排水通路と、
を更に含み、
前記排水／通気排水通路は、前記インパルス通路に対してある角度で配置され、かつ、前記排水／通気排水通路が前記ヘッド設置角度の１８０度反対のヘッド設置角度の第２の範囲にわたって前記トランスミッタプロセス結合ポートから排水するように前記排水／通気排水通路を配置する第２のヘッド設置角度に対応して配置されている、
請求項７に記載の自己排水ヘッド。
【請求項９】
設置角度の範囲は、約１３５度である、請求項１に記載の自己排水ヘッド。
【請求項１０】
前記インパルス通路及び前記インパルス排水通路の各々は、少なくとも０．３７５インチの直径を有する、請求項１に記載の自己排水ヘッド。
【請求項１１】
前記ヘッドのための冷却要素を更に含む、請求項１に記載の自己排水ヘッド。
【請求項１２】
前記冷却要素は、前記ヘッド本体に結合された少なくとも１つのヒートシンクフィンを備える、請求項１１に記載の自己排水ヘッド。
【請求項１３】
前記冷却要素は、前記ヘッド本体を通る少なくとも１つの冷却通路を含み、
前記少なくとも１つの冷却通路は、前記ヘッド本体から熱を除去するために熱伝達流体に結合可能である、
請求項１１に記載の自己排水ヘッド。
【請求項１４】
前記インパルス通路及び前記インパルス排水通路のうちの少なくとも１つは、その長手方向に沿って配置された少なくとも１つの溝を含む、請求項１に記載の自己排水ヘッド。
【請求項１５】
前記インパルス通路及び前記インパルス排水通路は、チャンバに結合され、
前記チャンバは、前記トランスミッタプロセス結合ポートに隣接し、
前記インパルス通路は、前記ヘッドが前記ヘッド設置角度の範囲内で設置されるとき、前記チャンバ内の最低点で前記チャンバに結合される、
請求項１に記載の自己排水ヘッド。
【請求項１６】
前記インパルス通路及びインパルス排水通路は、前記ヘッド設置角度の範囲内の前記ヘッド設置角度において重力下で通路内の水塊の表面張力に打ち勝つのに十分な直径である、請求項１に記載の自己排水ヘッド。
【請求項１７】
前記ヘッドは、圧力トランスミッタに直接取り付けられるように構成されている、請求項１に記載の自己排水ヘッド。
【請求項１８】
前記ヘッドは、インパルスライン及び一次要素と一体的に形成される、請求項１に記載の自己排水ヘッド。
【請求項１９】
ヘッド本体と、
前記ヘッド本体内の一対の差動トランスミッタプロセス結合ポートと、
前記ヘッド本体内の一対のインパルスポートと、
第１のインパルス通路が第１の前記インパルスポートに結合され、第２のインパルス通路が第２の前記インパルスポートに結合された、一対のインパルス通路と、
第１のインパルス排水通路が第１の前記差動トランスミッタプロセス結合ポートと前記第１のインパルス通路との間においてある角度で結合され、第２のインパルス排水通路が第２の前記差動トランスミッタプロセス結合ポートと前記第２のインパルス通路との間においてある角度で結合された、一対のインパルス排水通路と、
を含む、自己排水式トランスミッタマウントヘッドであって、
傾斜インパルス排水通路は、ヘッド設置角度の範囲にわたって差動トランスミッタプロセス結合ポートから排水するように構成されている、
自己排水式トランスミッタマウントヘッド。
【請求項２０】
前記ヘッド本体内の一対の排水／通気ポートと、
前記排水／通気ポートの各々をシールするように構成された取り外し可能な排水／通気プラグと、
第１の排水／通気通路が対応する第１の前記排水／通気ポートと前記第１のインパルス通路との間に結合され、第２の排水／通気通路が対応する第２の前記排水／通気ポートと前記第２のインパルス通路との間に結合された、一対の排水／通気通路と、
を更に含み、
前記排水／通気通路の各々は、対応するインパルス通路と整列している、
請求項１９に記載の自己排水ヘッド。
【請求項２１】
第１の排水／通気排水通路が、前記第１の排水／通気通路と第１の前記差動トランスミッタプロセス結合ポートとの間においてある角度で結合され、第２の排水／通気排水通路が、前記第２の排水／通気通路と第２の前記差動トランスミッタプロセス結合ポートとの間の角度で結合された、一対の排水／通気排水通路であって、
前記排水／通気排水通路の各々は、前記ヘッド設置角度の１８０度反対側のヘッド設置角度の第２の範囲にわたってトランスミッタ結合ポートから排水するように前記排水／通気排水通路を配置する第２のヘッド設置角度に対応して配置されている、一対の排水／通気排水通路と、
を更に含む、請求項２０の自己排水ヘッド。
【請求項２２】
プロセスフローが停止した場合、ヘッド内のプロセス流体をトランスミッタプロセス結合ポートから内部に排水できる向きにヘッドを取り付ける、
ことを含む、自己排水トランスミッタマウントヘッドを設置する方法であって、
前記ヘッドを取り付けることは、前記ヘッドから前記プロセス流体を排水するために前記ヘッド内に角度のついた排水通路を配置するために、ある範囲内の方向に取り付ける、ことを更に含む、
自己排水トランスミッタマウントヘッドを設置する方法。
【発明の詳細な説明】
【技術分野】
【０００１】
本開示は、圧力トランスミッタ流量計の接続に関する。より具体的には、本発明は、自己排水ヘッド構成に関する。
【背景技術】
【０００２】
蒸気及び腐食性又は危険な流体などのプロセス流体の流量測定は、多くの独特の課題を引き起こす可能性があり、そのうちの１つは、蒸気が冷たい周囲環境で測定される場合に一般的である。蒸気の流れが停止すると、トランスミッタマウントヘッドの差圧ポート内、又はトランスミッタのダイアフラムの近くに表面張力によって捕捉された水が凍結し、トランスミッタ、ヘッド、又は流量計を損傷する可能性がある。
【０００３】
多くの差圧流の用途では、プロセス流が停止したときに、プロセス流体がトランスミッタから排水され、プロセス導管に戻ることが望ましい。この要件に伴う最も一般的なシナリオは、流れを遮断することによって、閉じ込められた水が凍結し、膨張し、敏感な計器構成要素に損傷を与えることがある、冷たい周囲環境における水又は蒸気の流れである。これは、腐食性又は他の危険な流体の流れを用いる用途にも望ましい。現在の設計では、プロセス導管の上方にトランスミッタを有する流量計を取り付けることは、プロセス流体がパイプ内に排水されて戻ることを保証しない。インパルス管内の通路及び電流ヘッド及び／又はマニホルド内のポートは、その中の流体の質量が流体の表面張力に打ち勝たないように十分に小さい直径を有し、したがって、プロセスフローが停止した後でも、流体は捕捉されたままである。
【発明の概要】
【発明が解決しようとする課題】
【０００４】
過酷な環境、特に低温（例えば、水を凍結させるのに十分な低温）にさらされる環境において問題を引き起こし得る一般的なプロセス流体は、蒸気である。低温では、蒸気が水に凝縮し、水がヘッド通路内で、また圧力トランスミッタのダイアフラムの近くで凍結することがあり、プロセストランスミッタ及びその構成要素への損傷、プロセス流体通路の閉塞などを含む多くの潜在的な問題を引き起こす。
【０００５】
トランスミッタダイヤフラムの近く、又はヘッドもしくは流量計内に捕捉されるプロセス流体のための１つの提案された解決策は、標準ヘッド上のプロセス流体通路の直径を増大させることである。凍結水から引き起こされる損傷を回避する別の試みは、水がトランスミッタから主プロセスラインに排水されて戻ることを可能にする幾何学的形状を有する器具を作り出すことである。このような「真っ直ぐな排水」設計は、排水量を増加させるが、水は小さい内部通路及びクロスドリルヘッドの幾何学的形状のために、計器のヘッドではなく、インパルス管から排水されるだけである。このような設計では、凍結水によって引き起こされるトランスミッタへの損傷は、完全には軽減されない。第１に、従来のイコライザ及び遮断弁は、適切に封止するために小径の通路を使用する。第２に、トランスミッタマウントヘッド内の内部通路の角度のために、プロセス流体は、トランスミッタが直径が増大しても、垂直方向上方に向いている場合にのみ排水される。垂直設置は、多くの配管設備では実現不可能である。
【０００６】
したがって、現在、流量計を凍結損傷から保護するために使用される最も一般的な方法は、熱トレース又は蒸気トレースシステムである。これらの技術の両方とも、設置、操作、及び保守に費用がかかる。例えば、差圧流は、その固有の信頼性、幅広い工業的許容性、及び高温範囲のために、蒸気を測定するための望ましい技術である。全エネルギーの約４５％が蒸気を生成するために使用され、全蒸気測定値の約７０％以上が差圧流技術を使用する。これらの測定点の多くは、熱トレース又は蒸気トレースを使用して、一次要素ヘッド内に捕捉された凝縮物が凍結し、潜在的に低温の周囲空気温度に起因してトランスミッタを損傷するのを防止する周囲環境にある。インストール中に、単一の流量測定インストールのための各蒸気トレースインストールは、約１５００〜３０００ドルのコストがかかり得る。保守・運用コストが含まれる場合、このコストは著しく高くなる。
【課題が解決するための手段】
【０００７】
自己排水トランスミッタマウントヘッドは、ヘッド本体内にトランスミッタプロセス結合ポートを有するヘッド本体と、ヘッド本体内のインパルスポートと、インパルスポートに結合されたインパルス通路と、を含む。インパルス排水通路は、圧力伝達ポートとインパルス通路との間に結合される。インパルス排水通路は、インパルス通路に対してある角度で配置され、かつ、インパルス排水通路がヘッド設置角度の範囲にわたってトランスミッタプロセス結合ポートから排水するインパルス排水通路を配置するヘッド設置角度に対応して配置される。
【０００８】
別の自己排水トランスミッタマウントヘッドは、ヘッド本体と、ヘッド本体内の１対の差動トランスミッタプロセス結合ポートと、ヘッド本体内の１対のインパルスポートとを含む。一対のインパルス通路は、それぞれのインパルスポートに結合する。一対のインパルス排水通路は、それぞれの差動トランスミッタプロセス結合ポートとそれぞれのインパルス通路との間に角度をなして結合する。傾斜インパルス排水通路は、ヘッド設置角度の範囲にわたって差動トランスミッタプロセス結合ポートから排水するように構成される。
【０００９】
プロセスフローが停止した場合、ヘッド内のプロセス流体をトランスミッタプロセス結合ポートから内部に排水できる向きにヘッドを取り付ける、ことを含む、自己排水トランスミッタマウントヘッドを設置する方法が提供される。ヘッドを取り付けることは、ヘッドからプロセス流体を排水するためにヘッド内に角度のついた排水通路を配置するために、ある範囲内の方向に取り付けることをさらに含む。
【００１０】
この概要及び要約書は、以下の「発明を実施するための形態」でさらに説明される概念の選択を簡略化された形成で紹介するために提供される。概要及び要約書は、特許請求される主題の重要な特徴又は本質的な特徴を識別することを意図するものではなく、特許請求される主題の範囲を決定する際の補助として使用されることを意図するものでもない。
【図面の簡単な説明】
【００１１】
【図１】図１は、本開示の一実施形態による自己排水ヘッドの斜視図である。
【図２】図２は，図１のヘッドを立面図で示し、内部通路は破線で示されている。
【図３】図３は、本開示の別の実施形態による、取り付けられた圧力可変トランスミッタ及び真っ直ぐな排水管を有する、図１の排水ヘッドの斜視図である。
【図４】図４は、図３の実施形態の線３−３に沿った断面図である。
【図５】図５は、本開示の実施形態による自己排水ヘッドのための取り付けの範囲を示す図である。
【図６】図６は、図１のヘッドのより詳細な図である。
【図７】図７は、本開示の別の実施形態による自己排水ヘッドの側面正面図である。
【図８】図８は、本開示の別の実施形態による自己排水ヘッドの側面正面図である。
【図９】図９は、本開示の別の実施形態による自己排水ヘッドの側面正面図である。
【図１０】図１０は、反転位置にある図４のヘッドの図である。
【図１１】図１１は、反転位置にある図１のヘッドのより詳細な図である。
【発明を実施するための形態】
【００１２】
本開示の実施形態は、ヘッドと呼ばれる、好ましくはトランスミッタがパイプの上に配置されたときに重力によって水が器具から完全に排水されることを可能にする差圧流量計のための、直接取り付けトランスミッタ接続プラットフォームを提供する。シャットダウン中に水を完全かつ自動的に排水することを可能にするヘッドは、低温環境における高価で高保守性の熱トレースの必要性、及び熱トレースが存在しない場合の凍結損傷の可能性を低減又は排除する。本開示の実施形態は、ヘッドに直接取り付けられたトランスミッタを用いて特定の配向範囲内に取り付けられたときに、トランスミッタ及びヘッドから水を完全に排水する。本発明の１つの利点は、熱又は蒸気トレース測定点の必要性を低減又は排除することによって、総設置流量測定コスト及び保守コストが大幅に低減されることである。
【００１３】
測定されているプロセス流体が例えば、圧力トランスミッタ、ヘッド、及びインパルス管を含むシステム内の蒸気のような冷たい周囲環境内の蒸気のような凍結にさらされるとき、プロセス導管に完全には排水されないか、又はトランスミッタ、ヘッド、又は流量計を損傷することなく安全に凍結することができるシステム内の点まで排水されないことがある。さらに、パラメータが測定されているプロセス流体が腐食性、腐食性、又は他の危険性がある場合、そのような流体は、メンテナンスが実行される前に、システムのトランスミッタ及びヘッドから完全に排水されることが望ましい。多くの状況において、プロセス変数測定システムを、システムの構成要素の完全な排水を助長する向きに設置することは不可能である。さらに、圧力トランスミッタ、ヘッド、又は流量計内にいくらかの水が残っていても、凍結により損傷が生じる可能性があり、又はいくらかの危険な流体が残っている場合、凍結に加えて他の方法で損傷が生じる可能性がある。本開示の実施形態は、圧力トランスミッタ、ヘッド、及び流量計からのプロセス流体の自己排水を容易にするための通路を含む。
【００１４】
典型的なヘッド及びトランスミッタシステムにおいてプロセス流体の流れが停止すると、凝縮蒸気からの水は、例えば幾何学的形状によって、又は重力、表面張力、毛管効果などのうちの１つ又は複数に対するそれらの向きによって、内部通路に捕捉されることが多い。イコライザ及び遮断弁は、典型的には適切なシールを可能にするために小さい直径の通路を使用し、通路内の角度はトランスミッタが垂直上方に向けられている場合にのみ排液を可能にするので、通路の直径を単に大きくするだけではシステムからのプロセス流体の完全な排液を可能にするのに十分ではない。設備は、必ずしも垂直方向に向けることができるわけではなく、したがって、このようなシステムは、大きな直径の通路があっても不完全な排水を受けやすい。
【００１５】
図１は、本開示の実施形態による自己排水ヘッド１００を示す。図１に示すヘッド１００は、一実施形態ではヘッド本体１０１と、排水／通気プラグ１０２と、イコライザ弁１０４と、遮断弁１１０と、トランスミッタ取付け孔１１６と、トランスミッタプロセス結合ポート１１４と、内部排水／通気排水通路１０３と、インパルス排水通路１０６とを備える。本開示の実施形態のさらなる要素が、さらなる図に示される。差圧測定のために、２つのインパルス通路と２つのインパルス排水通路とを、２つのインパルスポート（図２）と２つのトランスミッタプロセス結合ポート１１４との間に結合することができる。静圧測定のために、単一のインパルス通路及びインパルス排水通路を、単一のインパルスポートと単一のトランスミッタプロセス結合ポートとの間に結合することができる。２つの遮断弁及びイコライザ弁が示されているが、本開示の範囲から逸脱することなく、より多くの又はより少ない弁（ゼロを含む）が使用されてもよく、異なる数の内部通路が、様々な他のヘッド構成のために使用されてもよいことを理解されたい。
【００１６】
図２は、破線を使用して本体２００内のヘッド１００の内部通路を示す自己排水ヘッド１００の立面図である。図６は、ヘッド１００の本体２００の拡大図であり、ヘッド１００の内部通路も破線を用いて示しているが、分かりやすくするためにヘッド１００の外部構成要素は、省略している。図２及び図６の実施形態に示すように、自己排水ヘッドは、排水／通気プラグ１０２を受け入れるためのポート２０２と、イコライザ弁１０４に結合可能で、イコライザ通路２０７を介してインパルス通路に結合されたイコライザシートポート２０４と、遮断弁１１０に結合可能な遮断弁ポート２１０と、インパルス管及び／又はプロセス測定装置に結合可能なインパルスポート２１２と、をさらに備える。ポート２０２は、傾斜した排水／通気排水通路１０３に通じる排水／通気通路２０３への開口である。通路１０３は、トランスミッタプロセスポート１１４及びインパルス通路２０８に結合されている。インパルスポート２１２は、遮断弁ポート２１０につながるインパルス通路２０８への開口部であり、次いで、傾斜したインパルス排水通路１０６につながる開口部である。傾斜インパルス排水通路１０６は、トランスミッタプロセスポート１１４に結合されている。
【００１７】
一実施形態では、インパルス通路２０８及び排水／通気通路２０３は、通路２０３及び／又は２０８内の障害物などのクリアランスを可能にするために、組み合わされた通路２０３及び２０８がロッドアウトツールで容易に清掃することを可能にするように、直線で結合される。ヘッド１００の大きな直径の内径の幾何学的形状及びインパルス管は、ロッドアウト工具で清掃することを容易にする。この実施形態では、ポート２０２及び２１２がロッドアウトツールがインパルス及び排水／通気通路２０８、２０３の全長を通過し、蓄積物又は破片を除去することを可能にする。排水／通気プラグ１０２、排水／通気通路２０３、及び傾斜排水／通気排水通路１０３が図に示されているが、排水／通気排水通路１０３及び／又は排水／通気通路２０３は、本開示の範囲から逸脱することなく省略することができる。一実施形態では、排水／通気排水通路１０３及びインパルス排水通路１０６がそれぞれ、排水／通気通路２０３及びインパルス通路２０８に対して、トランスミッタプロセスポート１１４に向かって約１３５°の角度で傾斜し、本明細書に記載される排水を可能にする。しかしながら、本開示の範囲から逸脱することなく、異なる角度が、異なる排液配向範囲のために使用され得ることが理解されるべきである。
【００１８】
分離弁ポート２１０は、一実施形態では、プロセス流体をヘッド１００から排水することができるように十分に大きく、一実施形態では分離弁内径を自己排水することができるボンネットシート２１１を備える。ボンネットシート２１１は、一実施形態では、一次遮断のために完全なポート上昇プラグボンネットを保持し、内径遮断弁１１０が一実施形態では、通路１０３、１０６、２０３、及び２０８と同じ直径で、自己排水することができるように十分に大きい。
【００１９】
差動接続部１１４に隣接して、通路１０３、１０６、２０３、２０８は、ダイヤフラムクリアランスチャンバ２２０で合流する。一実施形態では、このチャンバ２２０は、インパルス通路２０８がチャンバ２２０の最低点にあるヘッド１００内の点でチャンバ２２０を遮り、圧力トランスミッタのダイアフラムからの排水をさらに容易にする。
【００２０】
円形直径の通路が図に示されているが、本開示の範囲から逸脱することなく、他の形状の通路を使用することができることを理解されたい。例えば、角度のついた円形直径の通路の代わりに、角度のついたスロットを用いてもよい。さらに、溝は、プロセス流体からの張力をさらに減少させ、より小さい直径の通路を通る排水を促進するために、ヘッド実施形態の１つ以上の通路に組み込まれてもよい。
【００２１】
図３は、オリフィスプレートとして示されているが、本開示の範囲から逸脱することなく別のタイプの主要要素であり得る、圧力トランスミッタ３０２及び主要要素３０４に接続されたヘッド１００の斜視図を示す。一実施形態における圧力トランスミッタはマウントホール１１６においてヘッド１００に接続し、トランスミッタプロセスポート１１４においてプロセスに結合する差圧モニタ及びトランスミッタである。一次要素３０４は、プロセス接続部３０６、一実施形態ではインパルス管を介してヘッド１００のインパルスポート２１２に接続され、プロセス流体をヘッド１００に結合し、最終的に、差圧などのプロセス変数を測定するためのプロセストランスミッタ３０２に結合するが、これに限定されない。また、本明細書に開示される様々なヘッドの実施形態は、静圧測定及び結合された静圧トランスミッタに適用されてもよい。図３にも示されているように、ヘッド１００の幾何学的形状は、好ましくは圧力トランスミッタ３０２又はマニホルドをヘッド１００に直接取り付けることを可能にする。
【００２２】
ヘッド１００は、本明細書に記載されるように、圧力トランスミッタ、ヘッド、及び流量計の自己排水を容易にするための内部通路及び設計を有する。具体的には、一実施形態では、ヘッド通路１０３及び１０６が動作方向でシステムからプロセス流体を排水することができるように、トランスミッタ差動接続部及びトランスミッタ通路に対して角度をなして、また内部通路２０３及び２０８に対して角度をなして配置及び構成される（図２、図６、及び図１１参照）。
【００２３】
図４は、図３の実施形態の断面図であり、圧力トランスミッタ３０２及び主要素３０４に取り付けられた自己排水ヘッド１００を含む。この組み合わせは、圧力トランスミッタが実質的に水平であり、ヘッド１００及び一次要素３０４からのインパルス管が実質的に垂直で蒸気オントップ取付け配向で示されている。インパルス排水通路１０６の角度は、トランスミッタ３０２内の流体４００がトランスミッタから離れて、傾斜したインパルス排水通路１０６を下って、インパルス通路２０８を通ってプロセス導管へ、開口３１０を通って、プロセスフロー導管内に使用時に配置される一次要素３０４へと流れることを可能にする。傾斜したインパルス排水通路１０６は、蓄積された流体が表面張力及び毛細管効果に打ち勝って、流体が凍結した場合にシステムに損傷を与えないか、又は危険な流体の腐食又は他の特性に起因してシステムに損傷を与えない場所まで、トランスミッタ３０２からヘッド１００を通って排水されることを可能にするのに適した直径である。
【００２４】
トランスミッタ３０２及びインパルス通路２０８に対するインパルス排水通路１０６の傾斜した性質は図５に示すように、頂部の向きに広範囲の角度のある蒸気内にヘッド１００を設置することを可能にする。図５は、矢印５００に沿った設置方向の範囲を示し、ヘッド１００は設置されてもよく、プロセスフローが停止したときに、トランスミッタ３０２及びヘッド１００からプロセス流体の排水を依然として可能にする。矢印５００に沿った、図５の左向きから図５の右向きへの向きでは、流体がヘッド１００内の通路の角度及びサイズのために、トランスミッタダイヤフラムから離れてヘッド１００から排水される。図示された通路の配置を有するヘッド１００は、１３５°の取り付け動作範囲内でのプロセス流体の排水を容易にする。
【００２５】
さらに、図１０〜図１１に示すように、ヘッド１００が反対方向に、例えばプロセス導管の下にインパルス管に溶接されている場合、鏡映された１３５°の取付け範囲が利用可能である。この設置方向では、排水／通気プラグ１０２が排水／通気排水通路１０３及び排水／通気通路２０３を介してトランスミッタ３０２からプロセス流体を排水することを可能にするために除去されてもよい。このような取付け方向の範囲では、通路１０３及び２０３が通路１０６及び２０８と同様に作用するように角度が付けられ、大きさが決められている。
【００２６】
一実施形態では、イコライザ弁１０４及びイコライザシートポート２０４がイコライザ弁の適切なシールを可能にするために、標準的な比較的小さい直径のものである。プロセス流体がイコライザライン内に捕捉されるべきであるが、全てのプロセス流体が依然としてダイヤフラム領域から排水されるので、これはトランスミッタダイヤフラムに影響を及ぼさないことに留意されたい。
【００２７】
一実施形態では、通路１０３、１０６、２０３、及び２０８は、プロセスフローシャットダウン後に排液のためにプロセス流体が蓄積するときに表面張力に打ち勝つことを可能にする直径以上の大きさである。一実施形態では通路１０３、１０６、２０３、及び２０８の直径は少なくとも０．３７５インチであるが、本開示の範囲から逸脱することなく、０．３７５インチより大きいか又は小さいものを含む他の排水直径を使用してもよいことを理解されたい。
【００２８】
本開示の代替実施形態を図７〜図９に示す。図７は、本開示の別の実施形態によるヘッド７００の正面図及び側面図を示す。ヘッド７００は、遮断弁７１０及び均等化弁７０４を組み込み、各弁は、ヘッド７００に組み込まれたボンネットを有する。マウント７００は、トランスミッタマウント穴７１６及び差動接続７１４を含み、インパルス管３０６を有するプロセス導管に接続する。２つの遮断弁及びイコライザ弁が示されているが、本開示の範囲から逸脱することなく、より多くの又はより少ない弁及び内部通路が、様々な他のヘッド構成のために使用されてもよいことを理解されたい。
【００２９】
図８は、本開示の別の実施形態によるヘッド８００の正面図及び側面図を示す。ヘッド８００は、ヘッド８００内にイコライザ弁８０４と、インパルス管３０６内に組み込まれた遮断弁８１０とを含んでいる。マウント８００は、トランスミッタマウント穴８１６及び差動接続部８１４を含み、インパルス管３０６を有するプロセス導管に接続する。２つの遮断弁及びイコライザ弁が示されているが、本開示の範囲から逸脱することなく、より多くの又はより少ない弁及び内部通路が、様々な他のヘッド構成のために使用されてもよいことを理解されたい。
【００３０】
図９は、本開示の別の実施形態によるヘッド９００の側面図を示す。ヘッド９００は、ヘッド本体又はインパルス管３０６に弁を使用しない。その代わりに、ヘッド９００は、イコライザ弁９０４及び遮断弁９１０を組み込んだマニホルド９０２に取り付けられている。マニホールドは、ヘッド９００に直接取り付け可能である。
【００３１】
ヘッド７００、８００、９００の各々はヘッド１００内に上述したような内部通路を組み込んでおり、従って、ヘッド１００の範囲まで自己排水する。さらに、ヘッド１００、７００、８００、及び９００は一対の差動ポート及び単一圧力タップを示しているが、本開示の範囲から逸脱することなく、二重圧力タップを冗長性のために使用することができる。
【００３２】
本開示の実施形態は、ＩＳＯ５１６７−２タップ間隔要件を満たすためのインパルス管のためのより大きな空間を可能にするために、スプール部を備えることができる。インパルス管は周囲空気への熱伝達を増大させる（例えば、冷却する）ために、延長された長さであってもよい。
【００３３】
さらに、本開示の実施形態は、蒸気用途に頻繁に採用され得るので、ヘッドへの任意のヒートシンクの追加は、プロセス流体から周囲空気への熱の伝達を補助するために使用され得る。ヒートシンクの幾何学的形状は、例えば、フィンの特徴部を設けることによって、ヘッド及び／又はインパルス管の表面積を増大させるように選択することができる。極めて高温のプロセス温度を有する実施形態では、様々な実施形態のヘッドが冷却ジャケットを組み込むことができ、この冷却ジャケット内で、熱伝達流体がヘッドを通ってポンプ輸送されて、構成要素から熱を除去する。
【００３４】
本発明は、好ましい実施形態に関して説明されているが、当業者であれば、様々な変更が本発明の精神及び範囲から逸脱することなく形状及び細部になされてもよいことは認識できる。
【図１】
2020521988.tif 000003
【図２】
2020521988.tif 000004
【図３】
2020521988.tif 000005
【図４】
2020521988.tif 000006
【図５】
2020521988.tif 000007
【図６】
2020521988.tif 000008
【図７】
2020521988.tif 000009
【図８】
2020521988.tif 000010
【図９】
2020521988.tif 000011
【図１０】
2020521988.tif 000012
【図１１】
2020521988.tif 000013
【国際調査報告】
2020521988.tif 000014
2020521988.tif 000015